(57)【要約】      （修正有）【課題】ガス透過性部材を用いることなく、気密性を確保しつつ内圧の上昇が抑えられる蓋体付き容器を提供する。【解決手段】開口部A1を有する容器1のフランジ1aに合さる外周縁2aを有し開口部の内側に嵌合する周壁2bが垂下する蓋体2と、蓋体の片開きによる開閉を可能にするストッパ3とを備える。ストッパは、フランジ下端1fに合さる下側部位3bを有し、下側部位から蓋体外周縁上端2fに回り込む上側部位3cが当該部位と共にフランジ及び外周縁を保持する保持部3aと、蓋体の上側に配置されて蓋体の上面に接触するカバー3dとを備える。保持部は、蓋体の片開きが許容されるように、フランジ及び外周縁の縁に沿って延在する半円弧状に配置され、保持部とカバーとの間は、蓋体が片開きするとき、この片開きに伴うカバーの変形を許容すると共に、このカバーの変形に対する復元力を当該カバーに与える段部3eを介して一体に連結されている。【選択図】図４
2010235193.tif 000002
【特許請求の範囲】
【請求項１】
開口部の外側にフランジが形成された容器と、フランジに合さる外周縁を有し開口部の内側に嵌合する周壁が垂下する蓋体と、
蓋体の片開きによる開閉を可能にするストッパとを備え、
当該ストッパは、
容器のフランジ下端に合さる下側部位を有し、この下側部位から蓋体の外周縁上端に回り込む上側部位が当該下側部位と共に容器のフランジ及び蓋体の外周縁を保持する保持部と、蓋体の上側に配置されて当該蓋体の上面に接触するカバーとを備え、
前記保持部は、蓋体の片開きが許容されるように、容器のフランジ及び蓋体の外周縁の縁に沿って延在する半円弧状の領域のうちの、少なくとも後方に配置され、
保持部とカバーとの間は、蓋体が片開きするとき、この片開きに伴うカバーの変形を許容すると共に、このカバーの変形に対する復元力を当該カバーに与える段部を介して一体に連結されていることを特徴とする蓋体付き容器。
【請求項２】
開口部の外側にフランジが形成された容器と、フランジに合さる外周縁を有し開口部の内側に嵌合する周壁が垂下する蓋体と、
蓋体の片開きによる開閉を可能にするストッパとを備え、
当該ストッパは、
容器のフランジ下端に合さる下側部位と、この下側部位から蓋体の外周縁上端を越えて当該蓋体の外周縁上端の上方から間隔を空けて回り込む上側部位とを有し、この上側部位から垂下する中足部位が当該下側部位と共に容器のフランジ及び蓋体の外周縁を保持する保持部と、蓋体の上側に配置されて当該蓋体の上面に接触するカバーとを備え、
前記保持部は、蓋体の片開きが許容されるように、容器のフランジ及び蓋体の外周縁の縁に沿って延在する半円弧状の領域のうちの、少なくとも後方に配置され、
カバーは、蓋体が片開きするとき、この片開きに伴うカバーの変形を許容すると共に、このカバーの変形に対する復元力を当該カバーに与えるように、上側部位を延在させてなるものであることを特徴とする蓋体付き容器。
【請求項３】
請求項１又は２において、蓋体は、その中心に、上向きに凸となるように湾曲する膨出部を備えることを特徴とする蓋体付き容器。
【請求項４】
請求項１乃至３のいずれか１項において、カバーは、蓋体の片開きに伴う変形を許容すると共に、このカバーの変形に対する復元力を当該カバーに与えるようにスリットが形成されたものであることを特徴とする蓋体付き容器。
【発明の詳細な説明】
【技術分野】
【０００１】
本発明は、容器に蓋体を取り付けることで内容物を閉空間に収納する蓋体付き容器であって、蓋をすることで生じる内圧の上昇を抑制するための技術に関するものである。
【背景技術】
【０００２】
毛染め剤に代表されるように、容器内で異なる材料を混合させる場合、材料が反応することでガスを発生させることがある。この場合、容器に蓋をすることで容器の内圧が上昇すると、蓋体が飛んで内容物を飛散させることがある。
【０００３】
これに対し、従来の技術では、蓋体の一部に、ガス透過性を有する部材を採用することで、容器と蓋体との間の内圧の上昇を抑制している。
【先行技術文献】
【特許文献】
【０００４】
【特許文献１】実開昭６３−１９７８６１号公報
【発明の概要】
【発明が解決しようとする課題】
【０００５】
しかしながら、従来の技術は、ガス透過性部材を別途、用いなければならない。しかも、こうしたガス透過性部材を用いた場合、これを保持する部材を別途用いる必要がある。このため、部品点数の増加に伴い生産性及びコスト性に改善の余地がある。
【０００６】
本発明の目的とするところは、ガス透過性部材を用いることなく、気密性を確保しつつ内圧の上昇が抑えられた新規な蓋体付き容器を提供することにある。
【課題を解決するための手段】
【０００７】
本発明である、蓋体付き容器は、開口部の外側にフランジが形成された容器と、フランジに合さる外周縁を有し開口部の内側に嵌合する周壁が垂下する蓋体と、
蓋体の片開きによる開閉を可能にするストッパとを備え、
当該ストッパは、
容器のフランジ下端に合さる下側部位を有し、この下側部位から蓋体の外周縁上端に回り込む上側部位が当該下側部位と共に容器のフランジ及び蓋体の外周縁を保持する保持部と、蓋体の上側に配置されて当該蓋体の上面に接触するカバーとを備え、
前記保持部は、蓋体の片開きが許容されるように、容器のフランジ及び蓋体の外周縁の縁に沿って延在する半円弧状の領域のうちの、少なくとも後方に配置され、
保持部とカバーとの間は、蓋体が片開きするとき、この片開きに伴うカバーの変形を許容すると共に、このカバーの変形に対する復元力を当該カバーに与える段部を介して一体に連結されていることを特徴とするものである。
【０００８】
本発明である、蓋体付き容器は、開口部の外側にフランジが形成された容器と、フランジに合さる外周縁を有し開口部の内側に嵌合する周壁が垂下する蓋体と、
蓋体の片開きによる開閉を可能にするストッパとを備え、
当該ストッパは、
容器のフランジ下端に合さる下側部位と、この下側部位から蓋体の外周縁上端を越えて当該蓋体の外周縁上端の上方から間隔を空けて回り込む上側部位とを有し、この上側部位から垂下する中足部位が当該下側部位と共に容器のフランジ及び蓋体の外周縁を保持する保持部と、蓋体の上側に配置されて当該蓋体の上面に接触するカバーとを備え、
前記保持部は、蓋体の片開きが許容されるように、容器のフランジ及び蓋体の外周縁の縁に沿って延在する半円弧状の領域のうちの、少なくとも後方に配置され、
カバーは、蓋体が片開きするとき、この片開きに伴うカバーの変形を許容すると共に、このカバーの変形に対する復元力を当該カバーに与えるように、上側部位を延在させてなるものであることを特徴とするものである。
【０００９】
本発明において、蓋体は、その中心に、上向きに凸となるように湾曲する膨出部を備えるものとすることができる。
【００１０】
また、カバーは、蓋体の片開きに伴う変形を許容すると共に、このカバーの変形に対する復元力を当該カバーに与えるようにスリットを形成したものとすることができる。
【発明の効果】
【００１１】
本発明によれば、容器と蓋体との間の圧力が上昇すると、蓋体が片開きされる。これにより、容器と蓋体との間のガスが抜けることで容器と蓋体との間の圧力を減少させることができる。
【００１２】
また、容器と蓋体との間の圧力が減少すると、カバーが当該カバーに復元力を与えるように構成された段部を介して保持部と連結されていることにより、又は、中足部位が垂下する上側部位を前方に延在させることで当該カバーとしたことにより、蓋体の片開きにより変形したカバーには、初期の位置に復帰させるような付勢力が生じる。これにより、容器と蓋体との間の圧力が減少すると、蓋体は自動的に閉じられることになる。
【００１３】
加えて、本発明である蓋体付き容器によれば、ガス抜きを蓋体の片開きで行うことから、ガス透過性を有する部材を別途用いる必要がない。しかも、本発明は、容器、蓋体及びストッパの３パーツという少ない部品点数で構成することができる。
【００１４】
従って、本発明によれば、気密性を確保しつつ内圧の上昇が抑えられた新規な蓋体付き容器を提供することができる。
【００１５】
また、蓋体の中心に、上向きに凸となるように湾曲する膨出部を設ければ、蓋体が膨出部を中心に曲がり易くなるので、蓋体の片開きを容易に実現することができる。
【００１６】
また、カバーにスリットを形成することで、蓋体の片開きに伴う変形を許容すると共に、このカバーの変形に対する復元力を当該カバーに与えるようにすれば、蓋体を滑らかな動作で片開きさせることができる。
【図面の簡単な説明】
【００１７】
【図１】(a),(b)はそれぞれ、本発明の第１の形態である蓋体付き混合容器の平面図及び側面図である。
【図２】同形態である蓋体付き混合容器を示す断面図である。
【図３】(a)〜(c)はそれぞれ、同形態に係る蓋体、ストッパ及び、同ストッパの変形例を示す断面図である。
【図４】(a),(b)はそれぞれ、同容器にて、内圧上昇に伴い蓋体に作用する力と共に示す断面図及び、内圧上昇に伴い蓋体が片開きした状態を示す断面図である。ある。
【図５】本発明の第２の形態で示す側面図である。
【図６】(a),(b)はそれぞれ、本発明の第２の形態である蓋体付き混合容器の平面図及び側面図である。
【図７】(a),(b)はそれぞれ、同形態に係るストッパを示す断面図及び、同形態である蓋体付き混合容器の断面図である。
【図８】同容器にて、内圧上昇に伴い蓋体が片開きした状態を示す断面図である。
【図９】(a),(b)はそれぞれ、本発明の第４の形態である蓋体付き混合容器の平面図及び同容器を側面から示す断面図である。
【図１０】同容器にて、内圧上昇に伴い蓋体が片開きした状態を示す断面図である。
【図１１】(a),(b)はそれぞれ、同形態に係るストッパを示す断面図及び、同形態に係る蓋体を示す断面図である。
【図１２】(a),(b)はそれぞれ、本発明の第５の形態である蓋体付き混合容器の平面図及び同容器を側面から示す断面図である。
【図１３】(a),(b)はそれぞれ、同形態に係るストッパを示す断面図及び、同容器にて、内圧上昇に伴い蓋体が片開きした状態を示す断面図である。
【図１４】(a),(b)はそれぞれ、本発明の第６の形態である蓋体付き混合容器の平面図及び同容器を側面から示す断面図である。
【図１５】(a),(b)はそれぞれ、同形態に係るストッパを示す断面図及び、同容器にて、内圧上昇に伴い蓋体が片開きした状態を示す断面図である。
【発明を実施するための形態】
【００１８】
以下、図面を参照して、本発明である蓋体付き容器を詳細に説明する。
【００１９】
図１〜３は、本発明の第１の形態である蓋体付き混合容器を示す。１は、カップ形の容器である。容器１は、その内側に、異なる内容物を充填するための空間Ｒを有し、この空間Ｒに通じる開口部Ａ1の外側にフランジ１ａが形成されている。
【００２０】
２は、図２に示すように、フランジ１ａに合さる外周縁２ａを有し開口部Ａ1の内側に嵌合する内周壁２ｂが垂下する蓋体である。蓋体２は、その中心に、同図に示すように、上向きに凸となるように湾曲するドーム状の膨出部２ｃが形成されている。
【００２１】
３は、蓋体２の片開きによる開閉を可能にするストッパである。３ａは、フランジ１ａの下端１ｆに合さる下側部位３ｂを有し、この下側部位３ｂから外周縁２ａの上端２ｆに回り込む上側部位３ｃが当該下側部位３ｂと共にフランジ１ａ及び外周縁２ａを保持する保持部である。保持部３ａは、フランジ１ａ及び外周縁２ａの縁に沿って延在する半円弧状に形成されている。これにより、蓋体２は、開口部Ａ1からの片開きが可能になる。また、保持部３ａは、下側部位３ｂと上側部位３ｃとの間でフランジ１ａ及び外周縁２ａを保持するため、ストッパ３は、フランジ１ａ及び外周縁２ａを案内にして、図１の矢印で示すように、横方向からフランジ１ａ及び外周縁２ａに沿ってスライドさせながら取り付けることができる。
【００２２】
また、３ｄは、蓋体２の上側に配置されて当該蓋体２の膨出部２ｃに接触するカバーである。カバー３ｄは、保持部３ａと段部３ｅを介して一体に連結されている。段部３ｅは、外周縁２ａの縁に沿って半円弧状に延在する平面部３ｆを上底とする断面台径形状をし、外向き傾斜部３ｇを介して上側部位３ｃと繋がる一方、内向き傾斜部３ｈを介してカバー３ｄと繋がる。これにより、段部３ｅは、蓋体２が片開きするとき、この片開きに伴うカバー３ｄの変形を許容すると共に、このカバー３ｄの変形に対する復元力を当該カバー３ｄに与える。
【００２３】
本形態によれば、容器１と蓋体２との間の圧力が上昇すると、図４(a)に示すように、蓋体２が膨出部２ｃを中心に容易に曲がることで、図４(b)に示すように、蓋体２が片開きされる。これにより、容器１と蓋体２との間のガスが抜けることで容器１と蓋体２との間の圧力を減少させることができる。
【００２４】
また、容器１と蓋体２との間の圧力が減少すると、カバー３ｄが段部３ｅを介して保持部３ａと連結されていることにより、蓋体２の片開きにより変形したカバー３ｄには、図４(a)に示す初期の位置に復帰させるような付勢力が生じる。これにより、容器１と蓋体２との間の圧力が減少すると、同図に示すように、蓋体１は自動的に閉じられることになる。
【００２５】
加えて、本形態によれば、ガス抜きを蓋体２の片開きで行うことから、ガス透過性を有する部材を別途用いる必要がない。しかも、本形態は、容器１、蓋体２及びストッパ３の３パーツという少ない部品点数で構成することができる。
【００２６】
従って、本形態によれば、気密性を確保しつつ内圧の上昇が抑えられた新規な蓋体付き容器を提供することができる。
【００２７】
また、本形態の如く、蓋体２の中心に、上向きに凸となるように湾曲する膨出部２ｃを設ければ、蓋体２が膨出部２ｃを中心に曲がり易くなるので、蓋体２の片開きを容易に実現することができる。
【００２８】
図５は、本発明の第２の形態であり、保持部３ａの左右両側にそれぞれ、下側部位３ｂから指当て３ｉが垂下する。指当て３ｉには、複数の滑り止め用のリブ３ｊが形成されている。この場合、横方向からフランジ１ａ及び外周縁２ａに沿ってスライドさせながら取り付けることが容易になる。
【００２９】
なお、本形態に係るストッパ３は、図３(b)に示すように、カバー３ｄに、蓋体２の膨出部２ｃを嵌合させるための開口部Ａ2が形成されている。カバー３ｄに開口部Ａ2を形成すれば、蓋体２に対してストッパ３を外れ難くすることができる。但し、本発明に従えば、図３(c)に示すように、開口部Ａ2を形成することなく、一体物とすることで、膨出部２ｃに合さる膨出部３ｄ0を設けることができる。
【００３０】
図６〜８は、本発明の第３の形態である。本形態では、段部３ｅが容器中心軸Ｏに向かうに従って上昇するように、平面部３ｆとカバー３ｄとを連結する内向き傾斜部３ｈが傾斜する階段状の断面形状をしてなる。この場合も、段部３ｅは、図８に示すように、蓋体２が片開きするとき、この片開きに伴うカバー３ｄの変形を許容すると共に、このカバー３ｄの変形に対する復元力を当該カバー３ｄに与える。
【００３１】
なお、本形態に係るカバー３ｄは、膨出部２ｃを嵌合させる嵌合Ａ2が形成されることなく、膨出部２ｃの先端に接している。
【００３２】
更に、図９〜１１は、本発明の第４の形態である。本形態は、第３の形態の変形例であり、カバー３ｄに２つの平行なスリットＳを形成することで、カバー３ｄを、内向き傾斜面３ｈと繋がるカバー基部３ｄ1と、このカバー基部３ｄ1との連結部となる折れ曲がり線Ｈに変形及び復元可能に可動する舌片部３ｄ2とで構成する。これにより、舌片部３ｄ2は、折り曲げ線Ｈを基点にカバー基部３ｄ1と対して上下に変形する。このため、カバー３ｄは更に、舌片部３ｄ2にて、蓋体２の片開きに伴う変形を許容すると共に、このカバー３ｄの変形に対する復元力が与えられる。
【００３３】
本形態の如く、カバー３ｄにスリットＳを形成することで、蓋体２の片開きに伴う変形を許容すると共に、このカバー３ｄの変形に対する復元力を当該カバー３ｄに与えるようにすれば、蓋体２を滑らかな動作で片開きさせることができる。
【００３４】
なお、本形態では、保持部３ａのうち、外向き傾斜面３ｇの下端３ｇ(e)は、図１１(a)に示すように、カバー３ｄの先端に向かうに従って角度θ1で上側に傾斜するように構成されている。このように、外向き傾斜面３ｇの下端３ｇ(e)に弱い傾斜を付ければ、保持部３ａは後方でのみ、フランジ１ａ及ぶ外周縁２ａを保持することになるため、蓋体２が片開きする際のカバー２ｄの動作がより良好になる。
【００３５】
また、本形態では、図１１(b)に示すように、蓋体２の上面が径方向外側に向かうに従って下向きに角度θ2で傾斜するように構成されている。この場合、蓋体２が変形し易くなるため、良好な片開きが実現できる。
【００３６】
更に、本形態では、図６(a)にて、ストッパ３の一部を切り欠いて拡大して示すように、下側部位３ｂと上側部位３ｃとを繋ぐ側壁部位３ｋの内側に爪部３ｐを設け、この爪部３ｐを蓋体の外周縁２ａの側面に引っ掛けることで、着脱可能に構成している。この場合、ストッパ３に対して一定の外力を加えなければ、横方向からのスライドによって外れないようにすることができる。
【００３７】
更に、図１２，１３は、本発明の第５の形態である。本形態に係る、ストッパ３は、その保持部３ａが、フランジ１ａの下端１ｆに合さる下側部位３ｂと、この下側部位３ｂから蓋体２の外周縁２ａの上端２ｆを越えて当該上端２ｆの上方から間隔を空けて回り込む上側部位３ｃとを有し、この上側部位３ｃから垂下する中足部位３ｍが当該下側部位３ｂと共にフランジ１ａ及び外周縁２ａを保持する。
【００３８】
保持部３ａは、図１２(a)に示すように、フランジ１ａ及び外周縁２ａの縁に沿って延在する半円弧状の領域のうちの、左右及び後の３箇所に配置されている。また、中足部位３ｍは、図１２(a)の破線で示すように、フランジ１ａ及び外周縁２ａの縁に沿って延在する半円弧状に形成されている。これにより、蓋体２の片開きが可能になる。
【００３９】
本形態も、容器１と蓋体２との間の圧力が上昇すると、蓋体２が片開きされる。これにより、容器１と蓋体２との間のガスが抜けることで容器１と蓋体２との間の圧力を減少させることができる。
【００４０】
また、容器１と蓋体２との間の圧力が減少すると、中足部位３ｍが垂下する上側部位３ｂを前方に延在させることで当該カバー３ｄとしたことにより、蓋体２の片開きにより変形したカバー３ｄには、初期の位置に復帰させるような付勢力が生じる。これにより、容器１と蓋体２との間の圧力が減少すると、蓋体２は第１の形態と同様、自動的に閉じられることになる。
【００４１】
加えて、本形態も、ガス抜きを蓋体２の片開きで行うことから、ガス透過性を有する部材を別途用いる必要がない。しかも、本形態も、容器１、蓋体２及びストッパ３の３パーツという少ない部品点数で構成することができる。
【００４２】
従って、本形態によっても、気密性を確保しつつ内圧の上昇を抑えることができる。
【００４３】
また、本形態も、保持部３ａは、下側部位３ｂと上側部位３ｃとの間でフランジ１ａ及び外周縁２ａを保持するため、ストッパ３は、フランジ１ａ及び外周縁２ａを案内にして、図１の矢印で示すように、横方向からフランジ１ａ及び外周縁２ａに沿ってスライドさせながら取り付けることができるが、下側部位３ｂの長さを調整することで爪部として構成することもできる。この場合、下側部位３ｂが外周縁２ａに対する引っ掛かりにより着脱可能に係止されるので、ストッパ３としての着脱も可能になる。
【００４４】
図１４，１５は、本発明の第６の形態である。本形態は、第５の形態の変形例であり、中足部位３ｍの下端３ｍ(e)は、図１３(a)に示すように、カバー３ｄの先端に向かうに従って角度θ3で上側に傾斜するように構成されている。このように、下端３ｍ(e)に弱い傾斜を付ければ、保持部３ａは後方でのみ、フランジ１ａ及ぶ外周縁２ａを保持することになるため、蓋体２が片開きする際のカバー２ｄの動作がより良好になる。
【００４５】
また、本形態は、上側部位３ｂを延在させてなるカバー３ｄに２つの平行なスリットＳを形成することで、カバー３ｄを、保持部３ａと繋がるカバー基部３ｄ1と、折れ曲がり線Ｈを基点に変形及び復元可能に可動する舌片部３ｄ2とで構成する。これにより、カバー３ｄは更に、舌片部３ｄ2にて、蓋体２の片開きに伴う変形が許容されると共に、このカバー３ｄの変形に対する復元力が与えられる。
【００４６】
上述したところは、本発明の好適な形態を示したものであるが、用途に応じて様々に設計変更することができる。例えば、保持部３ａは、蓋体２の片開きが許容されるように、フランジ１ａ及び外周縁２ａの縁に沿って延在する半円弧状の領域のうちの、少なくとも後方に配置されていればよい。また、各形態に採用された各構成はそれぞれ、互いに適宜組み合わせることができる。
【産業上の利用可能性】
【００４７】
本発明は、例えば、２剤を混合することで生成される毛染剤や揮発性のある内容物を充填する容器として用いることができる。
【符号の説明】
【００４８】
１    容器
１ａ  フランジ
１ｆ  フランジ下端
２    蓋体
２ａ  蓋体外周縁
２ｂ  蓋体内周壁
２ｃ  蓋体膨出部
２ｆ  蓋体外周縁上端
３    ストッパ
３ａ  保持部
３ｂ  下側部位
３ｃ  上側部位
３ｄ  カバー
３ｄ1 カバー基部
３ｄ2 カバー舌片部
３ｅ  段部
３ｆ  段部平面
３ｇ  段部外向き傾斜面
３ｈ  段部内向き傾斜面
３ｉ  指当て
３ｊ  滑り止め用リブ
３ｋ  側壁部位
３ｍ  中足部位
３ｐ  爪部
Ｈ    折り曲げ線
Ｓ    スリット
【図１】
2010235193.tif 000003
【図２】
2010235193.tif 000004
【図３】
2010235193.tif 000005
【図４】
2010235193.tif 000006
【図５】
2010235193.tif 000007
【図６】
2010235193.tif 000008
【図７】
2010235193.tif 000009
【図８】
2010235193.tif 000010
【図９】
2010235193.tif 000011
【図１０】
2010235193.tif 000012
【図１１】
2010235193.tif 000013
【図１２】
2010235193.tif 000014
【図１３】
2010235193.tif 000015
【図１４】
2010235193.tif 000016
【図１５】
2010235193.tif 000017